(57)【要約】  本発明は、ディスクの複製防止に係り、具体的には、ディスクの不法複製を防止するために、ディスクにバーストカッティング領域を生成する方法及び装置、並びにバーストカッティング領域を備える情報記録媒体に関する。本発明の情報記録媒体は、ユーザデータ記録領域と、ＯＯＫ変調方式を使用して制御情報を変調して記録するバーストカッティング領域と、を備える。本発明は、バーストカッティング領域データの変調後のチャンネルビットを変調前のデータビットに開始パターンとして挿入して生成することによって、別途の変調テーブルが不要であり、バーストカッティング領域で記録密度を高め、開始パターンを使用してデータと区分されるシンクパターンを生成して、データ復元時にＰＬＬのための信号として使用できる。
2007503669.tif 000002
【特許請求の範囲】
【請求項１】
記録及び／または再生装置と共に使用するための情報記録媒体において、
ユーザデータ記録領域と、
ＯＯＫ変調方式を使用して制御情報が変調されて、前記ユーザデータ記録領域についてデータを伝送するとき、前記装置によって使われるために記録されるバーストカッティング領域とを備えることを特徴とする情報記録媒体。
【請求項２】
前記ＯＯＫ変調方式で生成される信号は、ＲＺ信号であることを特徴とする請求項１に記載の情報記録媒体。
【請求項３】
前記ＯＯＫ変調方式は、２個のデータビットを３個のチャンネルビットに変換することを特徴とする請求項１に記載の情報記録媒体。
【請求項４】
前記ＯＯＫ変調方式によって変換された３個のチャンネルビットのうち、第一のビットは、２個のデータビットの開始を表す開始パターンであることを特徴とする請求項３に記載の情報記録媒体。
【請求項５】
前記開始パターンが０であるとき、３個のチャンネルビット以上に対して１を連続的に発生させず、開始パターンが１であるとき、３個のチャンネルビット以上に対して０を連続的に発生させないことを特徴とする請求項４に記載の情報記録媒体。
【請求項６】
前記開始パターンは、
バーストカッティング領域に記録されたデータを復元するために、前記装置のＰＬＬで使われることを特徴とする請求項４に記載の情報記録媒体。
【請求項７】
前記データビットを区分するための前記装置によって使われるシンクパターンをさらに含み、前記シンクパターンは、
チャンネルビットを含むシンクボディーと、
前記シンクパターンを区分するシンクＩＤとを含むことを特徴とする請求項４に記載の情報記録媒体。
【請求項８】
前記シンクボディーは、６個のチャンネルビットからなり、前記シンクＩＤは、６個のチャンネルビットからなることを特徴とする請求項７に記載の情報記録媒体。
【請求項９】
ＯＯＫ変調方式を使用して変調した制御情報を生成するステップと、
前記生成した制御情報をバーストカッティング領域に記録するステップとを含むことを特徴とするデータ変調方法。
【請求項１０】
ＯＯＫ変調方式を使用して変調した制御情報を生成する制御部と、
前記制御部によって生成された情報を、光ディスクに形成されたバーストカッティング領域に記録する記録部とを備えることを特徴とする記録装置。
【請求項１１】
前記制御情報は、トラッキング極性情報であることを特徴とする請求項１０に記載の記録装置。
【請求項１２】
前記制御情報は、反射比率情報であることを特徴とする請求項１０に記載の記録装置。
【請求項１３】
ＯＯＫ変調方式を使用して作られた制御情報を光ディスクのバーストカッティング領域から読出す読出部と、
前記読出部によって読出された情報を解釈し、解釈された情報に基づいて前記光ディスクに/からユーザデータを記録/再生する制御部とを備えることを特徴とする記録及び／または再生装置。
【請求項１４】
２ビットデータを３チャンネルビットに変調する方法において、
２ビットデータワードであることを表す開始パターンを形成するステップと、
２ビットデータワードを含むデータ部分を表す２チャンネルビットを形成するステップとを含むことを特徴とする変調方法。
【請求項１５】
前記開始パターンは、開始ビット“１”を含むことを特徴とする請求項１４に記載の変調方法。
【請求項１６】
３個の連続された数が“０００”または“１１１”であるか否かを決定するために、前記開始パターンをチェックすることによってシンクパターンを識別するステップをさらに含むことを特徴とする請求項１４に記載の変調方法。
【請求項１７】
バーストカッティング領域データを再生する方法において、
２ビットデータワードの開始を表す開始パターンを検出するステップと、
前記２ビットデータワードを含むデータ部分を表す２チャンネルビットを検出するステップと、
バーストカッティング領域データを再生するためにシンクパターンを識別するステップと、
前記シンクパターンによって前記ＢＣＡデータを再生するステップとを含むことを特徴とするバーストカッティング領域データの再生方法。
【発明の詳細な説明】
【技術分野】
【０００１】
本発明は、ディスクの複製防止に係り、具体的には、ディスクの不法複製を防止するために、ディスクにバーストカッティング領域（ＢＣＡ）を生成する方法及び装置、並びにＢＣＡを含む情報記録媒体に関する。
【背景技術】
【０００２】
追記型ディスクまたは上書き可能なディスクが普及するにつれて、複製が禁止されているデータが不法に複製されることもある。ディスクの不法複製を防止するために、ＤＶＤの場合には、ＢＣＡが存在する。
【０００３】
図１は、ＤＶＤのＢＣＡを示す図である。図１を参照するに、ＤＶＤの最内周の円周に沿って約３３０°にわたってＢＣＡが形成されるということが分かる。
【０００４】
ＤＶＤ−ＲＯＭまたはＤＶＤ−ＲＡＭのＢＣＡは、工場出荷時に作られる。ＹＡＧ（イットリウム−アルミニウム−ガーネット）レーザのパルスレーザ光をディスクに照射して、ディスクの内側に形成されているアルミニウムからなる反射膜の細いストライプを放射状に除去することによって、ストライプ（バーコード）が最内周の円周に沿って形成される。ここで、ストライプは、例えば、ＩＤ番号やそれ以外の他の識別情報や暗号化キーのような補助情報を表す。
【０００５】
図２は、ＰＥ（Ｐｈａｓｅ  Ｅｎｃｏｄｅ）変調を説明する図である。図２を参照するに、マーク及びスペースの位置によってデータビットが変わるＰＥ変調について示している。後述する図４を参照するに、データビット“０”は、チャンネルビット“１０”に変換され、データビット“１”は、チャンネルビット“０１”に変換される。
【０００６】
図３Ａ及び図３Ｂは、図２のＰＥ変調に使われるフレームシンクパターンの例を示す図である。
【０００７】
ＰＥ変調で、チャンネルビットは、データビットを表す二つのチャンネルビットのセンターで反転されるので、データビットの場合、３つのチャンネルビット以上についてマークまたはスペースが連続的に発生しない。したがって、シンクビット（フレームシンク）を表すシンクパターンは、３チャンネルビット以上で連続的にマークまたはスペースを配列することによって形成されうる。
【０００８】
図４（Ａ）及び図４（Ｂ）は、４−１変調を使用してディスクＩＤのデータビットを変調する例を示す図である。
【０００９】
４−１変調は、二つのデータビットを７個のチャンネルビットに変調する変調法である。第一の３つのチャンネルビットは、“０１０”で表示されるシンク部を形成し、次の４個のチャンネルビットは、４個のチャンネルビット内の“１”の位置によってデータが変わるデータ部を形成する。変調前の二つのデータビットが“００”である場合、データ部は“１０００”であり、変調前の二つのデータビットが“０１”である場合、データ部は“０１００”であり、変調前の二つのデータビットが“１０”である場合、データ部は“００１０”であり、変調前の二つのデータビットが“１１”である場合、データ部は“０００１”である。このシンク部とデータ部とを合わせた７チャンネルビットが一つのワードとなる。
【００１０】
図５Ａ及び図５Ｂは、図４（Ａ）及び図４（Ｂ）の４−１変調に使われるフレームシンクのシンクパターンの例を示す図である。
【００１１】
４−１変調法で、論理“１”の位置は、三つのチャンネルビットのシンク部に固定される。これにより、一つ置きに発生するシンク部の論理“１”の間隔は、常に“７”となる。したがって、一つ置きに論理“１”が発生する間隔の規則性を破ることによって、シンクパターンが形成されうる。
【００１２】
しかし、ディスクの小型化によって、データが記録または再生される開始半径が小さくなるにつれて、光ディスクの内側でのＢＣＡの記録密度を向上させねばならない。
【発明の開示】
【発明が解決しようとする課題】
【００１３】
本発明が解決しようとする技術的課題は、光ディスクの内側にＢＣＡの記録密度を向上させるデータ変調方法及び装置、並びにＢＣＡのデータを記録した記録媒体を提供することである。
【課題を解決するための手段】
【００１４】
前記課題を達成するために、本発明による情報記録媒体は、ユーザデータ記録領域と、及びＯＯＫ（オン−オフ  キーイング）変調方式を使用して制御情報を変調して記録するＢＣＡとを備える。
【００１５】
前記ＯＯＫ変調方式で生成される信号は、ＲＺ（Ｒｅｔｕｒｎ−ｔｏ−Ｚｅｒｏ）信号であることが望ましい。
【００１６】
前記課題を達成するために、本発明によるデータ変調方法は、ＯＯＫ変調方式を使用して変調した制御情報を生成するステップと、前記生成した制御情報をＢＣＡに記録するステップとを含む。
【００１７】
前記課題を達成するために、本発明によるデータ記録装置は、ＯＯＫ変調方式を使用して変調した制御情報を生成する制御部と、前記制御部によって生成された情報を光ディスクに形成されたＢＣＡに記録する記録部とを備える。
【００１８】
前記課題を達成するために、本発明によるデータ再生装置は、ＯＯＫ変調方式を使用して作られた制御情報を光ディスクのＢＣＡから読出す読出部と、前記読出部によって読出された情報を解釈し、解釈された情報に基づいて前記光ディスクに/からユーザデータを記録/再生する制御部とを備える。
【００１９】
前記課題を達成するために、本発明では、前記方法をコンピュータで実行させるためのプログラムを記録したコンピュータで読み取り可能な記録媒体を提供する。
【発明を実施するための最良の形態】
【００２０】
以下、添付された図面を参照して本発明による望ましい一実施形態詳細に説明する。
【００２１】
小型媒体の必要性によって、ディスクの内側に記録されるＢＣＡデータが記録される領域が縮小するので、ＢＣＡデータの記録密度を向上させねばならない。ＢＣＡでデータの記録密度を向上させるために、データ変調方法としてＯＯＫ方式とＲＺ信号とを使用して、ＢＣＡにデータを記録できる。
【００２２】
図６Ａ及び図６Ｂは、ＯＯＫ−ＲＺ変調方式の例を示す図である。
【００２３】
ＯＯＫ−ＲＺ変調方式は、二つのデータビットを３個のチャンネルビットに変調する方法である。第一のチャンネルビットは、２ビットサイズのデータワードが開始されることを表す開始パターンを形成し、次の２個のチャンネルビットは、データを表すデータ部を形成する。開始パターンによって“０”または“１”のチャンネルビットが連続的に３チャンネルビット以上反復されることを防止してシンクパターンを区分し、ＢＣＡデータを復元するためのＰＬＬ用途としても使われる。また、２個のデータビットの前に開始パターンのみを付けることによって、別途の変調テーブルを必要としないので、具現が容易である。
【００２４】
変調後の開始パターンを“１”とすれば、変調前の二つのデータビットが“００”である場合、変調後のチャンネルビットは“１００”であり、変調前の二つのデータビットが“０１”である場合、変調後のチャンネルビットは“１０１”であり、変調前の二つのデータビットが“１０”である場合、変調後のチャンネルビットは“１１０”であり、変調前の二つのデータビットが“１１”である場合、変調後のチャンネルビットは“１１１”である。
【００２５】
図６Ｃは、ＯＯＫ−ＲＺ方式を利用してチャンネルビット“１”に対してストライプを形成してＢＣＡにデータを記録する例を示す図である。
【００２６】
ＯＯＫ−ＲＺ方式の変調で、データビットを表す二つのチャンネルビットの前にチャンネルビット“１”の開始パターンを挿入する。したがって、データビットである場合には、３個のチャンネルビット以上に対して“０”が連続的に発生しない。したがって、シンクビット（フレームシンク）を表すシンクパターンは、３個のチャンネルビット以上で連続的に“０”の値を配列することによって形成されうる。
【００２７】
図７は、図６Ａないし図６ＣのＯＯＫ−ＲＺ変調に使われるフレームシンクのデータ構成を示す図である。図７で、シンクボディーは、“１０００１０”にもできる。または、図６Ａ及び図６Ｂで、開始パターンをチャンネルビット“０”で表現すれば、データビットの場合、３個のチャンネルビット以上に対してチャンネルビット“１”が連続的に発生しない。
【００２８】
したがって、シンクビットを表すシンクパターンは、３チャンネルビット以上で連続的にチャンネルビット“１”を配列することによって形成されてもよい。すなわち、図７のＳｙｎｃ０は、“０１１１１０００００００”のように表現されうる。図７は、開始パターンが“１”である場合を表す。しかし、開始パターンが“０”である場合に、シンクボディーは、図７のシンクボディーの値“１００００１”をインバートすることによって“０１１１１０”とならねばならない。したがって、開始パターンが“０”であり、シンクＩＤのチャンネルビットが“００００００”であれば、Ｓｙｎｃ０は、“０１１１１０００００００”と表現されうる。
【００２９】
図８は、本発明のＢＣＡデータ記録装置のブロック図である。図８を参照するに、記録装置は、本発明によって、光ディスク８００に形成されたＢＣＡに前記方法で生成されたＢＣＡデータを記録するために、記録部８１０及び制御部８２０を備える。制御部８２０は、ＢＣＡに記録するための本発明の変調方法を使用して、制御情報、例えば、トラッキング極性情報及び／または反射率情報を生成し、記録部８１０は、これら情報のうち少なくとも一つを光ディスク８００のＢＣＡに記録する。これにより、光ディスク８００のＢＣＡには、本発明によって生成された制御情報、例えば、トラッキング極性情報及び／または反射率情報が含まれる。
【００３０】
図９は、本発明の望ましい実施形態による再生装置の概略図である。図９を参照するに、再生装置は、読出部９１０と制御部９２０とを備える。読出部９１０は、本発明による光ディスク９００に設けられたＢＣＡから本発明の変調方法によって生成された制御情報を読出して制御部９２０に提供する。制御部９２０は、読出部９１０から提供された制御情報を解釈し、解釈された情報に基づいて光ディスク９００に記録されたユーザデータを再生する。
【００３１】
図８の記録装置は、ディスク製作者によってマスタリング過程で使われる装置を示す一方、図９の再生装置において、「再生」は、ＢＣＡからトラッキング極性情報及び／または反射率情報を再生するという意味に過ぎず、ユーザの立場では、記録装置または再生装置のどこでも搭載されうる。ＢＣＡからトラッキング極性情報及び／または反射率情報の再生過程は、ユーザデータを記録または再生するときに何れも行われるためである。
【００３２】
本発明はまた、コンピュータで読み取り可能な記録媒体にコンピュータで読み取り可能なコードとして具現することが可能である。コンピュータで読み取り可能な記録媒体は、コンピュータシステムによって読み取れるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを通じた伝送）形態に具現されるものも含む。また、コンピュータで読み取り可能な記録媒体は、ネットワークに連結されたコンピュータシステムに分散されて、分散方式でコンピュータで読み取り可能なコードが保存され、かつ実行されうる。
【００３３】
以上、本発明についてその望ましい実施形態を中心に説明した。当業者は、本発明が本発明の本質的な特性から逸脱しない範囲で変形された形態に具現されうるということが分かるであろう。したがって、開示された実施形態は、限定的な観点ではなく、説明的な観点で考慮されねばならない。本発明の範囲は、前述した説明ではなく、特許請求の範囲に現れており、それと同等な範囲内にある全ての差異点は、本発明に含まれたと解釈されねばならない。
【産業上の利用可能性】
【００３４】
本発明は、ＢＣＡデータの変調後のチャンネルビットを変調前のデータビットに開始パターンとして挿入して生成することによって、別途の変調テーブルが不要であり、ＢＣＡで記録密度を高め、前記開始パターンを使用してデータと区分されるシンクパターンを生成して、データ復元時にＰＬＬのための信号として使用できる。
【図面の簡単な説明】
【００３５】
【図１】ＤＶＤのＢＣＡを示す図である。
【図２】ＰＥの変調を説明する図である。
【図３Ａ】図２のＰＥ変調に使われるフレームシンクパターンの例を示す図である。
【図３Ｂ】図２のＰＥ変調に使われるフレームシンクパターンの例を示す図である。
【図４】４−１変調を使用して、ディスクＩＤのデータビットを変調する例を示す図である。
【図５Ａ】図４の４−１変調に使われるフレームシンクのシンクパターンの例を示す図である。
【図５Ｂ】図４の４−１変調に使われるフレームシンクのシンクパターンの例を示す図である。
【図６Ａ】ＯＯＫ−ＲＺ変調方式の例を示す図である。
【図６Ｂ】ＯＯＫ−ＲＺ変調方式の例を示す図である。
【図６Ｃ】ＯＯＫ−ＲＺ方式を利用して、チャンネルビット“１”に対してストライプを形成してＢＣＡにデータを記録する例を示す図である。
【図７】図６Ａないし図６ＣのＯＯＫ−ＲＺ変調に使われるフレームシンクのデータ構成を示す図である。
【図８】本発明のＢＣＡデータ記録装置のブロック図である。
【図９】本発明の望ましい実施形態による再生装置の概略図である。
【図１】
2007503669.tif 000003
【図２】
2007503669.tif 000004
【図３Ａ】
2007503669.tif 000005
【図３Ｂ】
2007503669.tif 000006
【図４】
2007503669.tif 000007
【図５Ａ】
2007503669.tif 000008
【図５Ｂ】
2007503669.tif 000009
【図６Ａ】
2007503669.tif 000010
【図６Ｂ】
2007503669.tif 000011
【図６Ｃ】
2007503669.tif 000012
【図７】
2007503669.tif 000013
【図８】
2007503669.tif 000014
【図９】
2007503669.tif 000015
【国際調査報告】
2007503669.tif 000016